(57)【要約】  【課題】  ２つのコイルの何れかに接続される伝送路及びグランド間のキャパシタンスの影響による共振を低減できるＴ型フィルタ回路、及び、受信信号の周波数特性を安定化できる受信装置を提供する。  【解決手段】  入力端子ＩＮ及び出力端子ＯＵＴ間に直列に接続された２つのコイルＬ，Ｌと、該コイルＬ，Ｌ同士の接続点に接続されたキャパシタＣとを有するＴ型フィルタ回路１８の前記２つのコイルＬ，Ｌと夫々並列に２つの抵抗Ｒ，Ｒを接続し、前記Ｔ型フィルタ回路とチューナとをフィーダで接続する。【選択図】      図２  
2005286974.tif 000002
【特許請求の範囲】
【請求項１】
直列接続された２つのコイルと、該コイル同士の接続点にその一端を接続されたキャパシタとを有するＴ型フィルタ回路において、
前記２つのコイルの一方又は両方に抵抗が並列接続されていることを特徴とするＴ型フィルタ回路。
【請求項２】
アンテナで受信した信号をフィーダを介してチューナへ伝送する受信装置において、
アンテナ及びフィーダ間に請求項１に記載するＴ型フィルタ回路が接続されていることを特徴とする受信装置。
【発明の詳細な説明】
【技術分野】
【０００１】
本発明は、直列に接続された２つのコイルと、該コイル同士の接続点に接続されたキャパシタとを有するＴ型フィルタ回路及び該Ｔ型フィルタ回路を備える受信装置に関する。
【背景技術】
【０００２】
カーラジオなどの受信装置を用いてＡＭ放送などの受信が行われている。図３（ａ）はＡＭ放送の受信装置１０の例を示すブロック図である。受信装置１０は、アンテナで受信した信号のうち、ＡＭ放送帯域の信号を通過させるフィルタ部１２と、高周波型同軸フィルタであるフィーダ１４を介してフィルタ部１２と接続され、フィルタ部１２を通過したＡＭ放送帯域の信号に対し周波数を選択するＡＭチューナ部１６とを備える。
【０００３】
フィルタ部１２に用いるフィルタ回路としては、Ｔ型フィルタ回路がある（例えば、特許文献１参照）。図４（ａ）はＴ型フィルタ回路２の例を示す回路図である。Ｔ型フィルタ回路２は、入力端子ＩＮ及び出力端子ＯＵＴ間に直列に接続された２つのコイルＬ，Ｌと、該コイルＬ，Ｌ同士の接続点及びグランド間に接続されたキャパシタＣとを備える。
【特許文献１】実開平７−２９９２５号公報
【発明の開示】
【発明が解決しようとする課題】
【０００４】
図３（ｂ）はフィーダ１４の等価回路を示す回路図である。フィーダ１４は、伝送路とグランドとの間にキャパシタンスを有しており、図３（ｂ）に示すように伝送路及びグランド間にキャパシタＣｆが接続されていると見なせる。フィーダ１４はフィルタ部１２の出力端子ＯＵＴに接続されているため、フィルタ部１２の２つのコイルＬ，Ｌの一方又は両方とフィーダ１４のキャパシタＣｆとによりＡＭ放送帯域に共振が生じる場合がある。
【０００５】
図４（ｂ）は図３（ａ）に示す受信装置１０のアンテナ利得の周波数特性の例を示す図である。ただし、実線はフィーダ１４を接続した場合を示し、破線はフィーダ１４を接続しない場合を示す。フィーダ１４を接続した場合は、周波数ｆ１で共振が発生している。
【０００６】
また、キャパシタＣｆは、フィーダ１４の伝送路の長さに比例してキャパシタンスが増加する。キャパシタンスが増加した場合、図４（ｂ）に示す共振周波数ｆ１は低下する。よって、フィーダ１４のキャパシタＣｆが大きいほど、ＡＭ放送帯域内に共振が発生しやすくなる。共振がＡＭ放送帯域内で発生した場合、ＡＭチューナ部１６が共振周波数ｆ１付近の周波数を選択する可能性があり、選択する周波数によってアンテナ利得が変動し、ＡＭチューナ部１６の受信感度がばらつくという問題が生じる。
【０００７】
本発明は斯かる事情に鑑みてなされたものであり、２つのコイルの一方又は両方に抵抗を並列接続することにより、前記コイルの何れかに接続される伝送路が有するキャパシタンスと前記一方又は両方のコイルのインダクタンスとによる共振の影響を低減できるＴ型フィルタ回路を提供することを目的とする。
【０００８】
また、本発明は、２つのコイルの一方又は両方に抵抗が並列接続されたＴ型フィルタ回路を用いることにより、チューナに入力される信号の周波数特性を安定化できる受信装置を提供することを他の目的とする。
【課題を解決するための手段】
【０００９】
第１発明に係るＴ型フィルタ回路は、直列に接続された２つのコイルと、該コイル同士の接続点にその一端を接続されたキャパシタとを有するＴ型フィルタ回路において、前記２つのコイルの一方又は両方に抵抗が並列接続されていることを特徴とする。
【００１０】
第２発明に係る受信装置は、アンテナで受信した信号をフィーダを介してチューナへ伝送する受信装置において、アンテナ及びフィーダ間に第１発明に記載するＴ型フィルタ回路が接続されていることを特徴とする。
【００１１】
第１発明においては、２つのコイルの何れかに接続される伝送路とグランドとの間にキャパシタンスを有している場合、前記キャパシタンスと前記２つのコイルの一方又は両方のインダクタンスとによる共振が、通過周波数帯域に発生するおそれがある。共振により発生するピーク部分の高さは、コイルのＱ値が大きい場合は高くなり、コイルのＱ値が小さい場合は低くなる。２つのコイルの一方又は両方に抵抗を並列接続した場合、前記一方又は両方のコイル部分のＱ値は低下するため、共振は抑制され、共振の影響を低減できる。
【００１２】
第２発明においては、Ｔ型フィルタ回路及びチューナ間を接続するフィーダはグランドとの間にキャパシタンスを有しており、前記キャパシタンスとＴ型フィルタ回路のコイルのインダクタンスとによる共振が、チューナの受信周波数帯域に発生するおそれがあるが、２つのコイルの一方又は両方に抵抗が並列接続されたＴ型フィルタ回路によって、上述したように共振は抑制され、共振の影響を低減できる。
【発明の効果】
【００１３】
第１発明によれば、２つのコイルの何れかにグランドとの間にキャパシタンスを有する伝送路が接続された場合の前記キャパシタンスと前記２つのコイルの一方又は両方のインダクタンスとによる共振の影響を低減できる。
【００１４】
第２発明によれば、Ｔ型フィルタ回路のコイルのインダクタンスとフィーダのキャパシタンスとによる共振の影響を低減し、チューナに入力される信号の周波数特性を安定化できる。
【発明を実施するための最良の形態】
【００１５】
以下、本発明をその実施の形態を示す図面に基づいて具体的に説明する。
図１はＡＭ放送を受信する本発明に係る受信装置１０を含む音響装置の構成例を示すブロック図である。受信装置１０は、アンテナで受信した信号のうち、ＡＭ放送帯域の信号を通過させるフィルタ部１２と、高周波型同軸フィルタであるフィーダ１４を介してフィルタ部１２に接続され、フィルタ部１２を通過したＡＭ放送帯域の信号に対し周波数の選択を行う同調回路及び高周波増幅回路などを有するＡＭチューナ部１６とを備える。
【００１６】
ＡＭチューナ部１６で選択された信号は、アンプ部２２で増幅され、スピーカ２４から出力される。ＡＭチューナ部１６及びアンプ部２２にはマイクロコンピュータ２０が接続され、マイクロコンピュータ２０には操作部２６が接続されている。マイクロコンピュータ２０は、操作部２６が受付けた操作に応じて、ＡＭチューナ部１６の周波数の選択、及び、アンプ部２２の増幅率などの制御を行う。なお、アンプ部２２には、ＣＤ（Compact Disk）再生器又はＭＤ（Mini Disc）再生器などの音声信号を出力する他の機器が接続されていてもよい。
【００１７】
図２（ａ）はフィルタ部１２に用いるＴ型フィルタ回路１８の例を示す回路図である。Ｔ型フィルタ回路１８は、アンテナで受信した信号が入力される入力端子ＩＮ及びフィーダ１４が接続される出力端子ＯＵＴ間に直列に接続された２つのコイルＬ，Ｌと、該コイルＬ，Ｌ同士の接続点及びグランド間に接続されたキャパシタＣと、２つのコイルＬ，Ｌと夫々並列に接続された２つの抵抗Ｒ，Ｒとを備える。抵抗Ｒの抵抗値は数百Ωであり、コイルＬのインダクタンスは数μＨ、キャパシタＣのキャパシタンスは数十ｐＦである。
【００１８】
図２（ｂ）は図１に示す受信装置１０のアンテナ利得の周波数特性の例を示す図である。従来のＴ型フィルタ回路１８に追加した抵抗Ｒ，Ｒにより、コイルＬ，Ｌ部分のＱ値が低下するため、共振により発生するピーク部分の高さは小さくなる。そのため、従来発生していた図４（ｂ）に示す共振は抑制され、周波数特性はフラットになり、従来生じていたＡＭチューナ部１６の受信感度のばらつきは生じない。
【００１９】
上述した実施の形態においては、２つのコイルＬ，Ｌに夫々並列に２つの抵抗Ｒ，Ｒを接続したが、２つのコイルＬ，Ｌの一方のみに抵抗Ｒを並列接続することも可能である。ただし、２つのコイルＬ，Ｌの夫々のインダクタンスとフィーダ１４のキャパシタンスとによる共振がＡＭ放送帯域で起こる可能性があるため、両方のコイルに抵抗を並列接続することが好ましい。
【００２０】
上述した実施の形態においては、図２（ａ）に示す本発明に係るＴ型フィルタ回路１８をＡＭ放送の受信装置１０に用いる場合を例にして説明したが、本発明に係るＴ型フィルタ回路１８は、周波数範囲を選択する必要のある任意の装置に用いることが可能である。
【図面の簡単な説明】
【００２１】
【図１】ＡＭ放送を受信する本発明に係る受信装置を含む音響装置の構成例を示すブロック図である。
【図２】（ａ）は図１に示すフィルタ部に用いるＴ型フィルタ回路の例を示す回路図であり、（ｂ）は図１に示す受信装置のアンテナ利得の周波数特性の例を示す図である。
【図３】（ａ）はＡＭ放送の受信装置の従来例を示すブロック図であり、（ｂ）はフィーダの等価回路を示す回路図である。
【図４】（ａ）は従来のＴ型フィルタ回路の例を示す回路図であり、（ｂ）は図３（ａ）に示す受信装置のアンテナ利得の周波数特性の例を示す図である。
【符号の説明】
【００２２】
１０  受信装置
１２  フィルタ部
１４  フィーダ
１６  ＡＭチューナ部
１８  Ｔ型フィルタ回路
２０  マイクロコンピュータ
２２  アンプ部
２４  スピーカ
２６  操作部
【図１】
2005286974.tif 000003
【図２】
2005286974.tif 000004
【図３】
2005286974.tif 000005
【図４】
2005286974.tif 000006